(57)【要約】【課題】通学路等において学童等を監視し、所定の経路から逸脱した場合に、速やかにその情報を把握し、緊急システムを作動させる。【解決手段】所定の経路に沿って配置され、所定の通信可能域を有する複数の監視装置Ｍと、複数の監視装置と通信し、複数の監視装置からの信号の受信順序が、予め記憶手段に記録された順序ではない場合に、警報を発するか、監視センターＣ等の通信端末装置に通報する携帯端末装置Ｐとを備える監視システムＭＳ。所定の経路の始点に、所定の通信可能域を有する第２の監視装置Ｓ０を設置し、所定の通信可能域において、前記携帯端末装置との交信が途絶えた場合に、交信が途絶えたことを示す信号を監視センターＣ等の通信端末装置に送信することができる。携帯端末装置は、ＧＰＳ信号による自動位置検出手段を備え、所定の時間毎に前記通信端末装置に位置情報を送信することが好適である。【選択図】図１
2007241826.tif 000002
【特許請求の範囲】
【請求項１】
所定の経路に沿って配置され、所定の通信可能域を有する複数の監視装置と、
無線通信機能及び記憶手段を備え、前記複数の監視装置と通信し、該複数の監視装置からの信号の受信順序が、予め前記記憶手段に記録された順序ではない場合に、警報を発するか、通信端末装置に通報する携帯端末装置とを備えることを特徴とする監視システム。
【請求項２】
前記所定の経路の始点に、所定の通信可能域を有する第２の監視装置を設置し、該第２の監視装置の所定の通信可能域において、前記携帯端末装置との交信が途絶えた場合に、該交信が途絶えたことを示す信号を前記携帯端末装置又は前記通信端末装置に送信することを特徴とする請求項１に記載の監視システム。
【請求項３】
前記所定の経路の終点に、所定の通信可能域を有する第３の監視装置を設置し、該第３の監視装置の所定の通信可能域において、前記携帯端末装置と通信し、該通信がなされたことを示す信号を前記携帯端末装置又は前記通信端末装置に送信することを特徴とする請求項１又は２に記載の監視システム。
【請求項４】
前記携帯端末装置は、ＧＰＳ信号による自動位置検出手段を備え、所定の時間毎に前記通信端末装置に位置情報を送信することを特徴とする請求項１、２又は３に記載の監視システム。
【請求項５】
所定の経路に沿って複数配置され、各々所定の通信可能域を有し、各々携帯端末装置と通信することを特徴とする監視装置。
【請求項６】
無線通信機能及び記憶手段を備えた携帯端末装置であって、
所定の経路に沿って配置されて所定の通信可能域を有する複数の監視装置と無線通信可能で、該複数の監視装置からの信号の受信順序が予め前記記憶手段に記録された順序ではない場合に、警報を発するか、通信端末装置に通報することを特徴とする携帯端末装置。
【発明の詳細な説明】
【技術分野】
【０００１】
本発明は、監視システムに関し、特に、学童の通学途中の動きなどを監視し、通学途中の事故及び犯罪の発生等を防止するための監視システムに関する。
【背景技術】
【０００２】
近年、多発する学童の通学途中での事故及び犯罪の発生等を防止するため、ＧＰＳ等を用いた学童等の位置管理システムや、監視システムが提案されてきた。
【０００３】
例えば、特許文献１には、被監視者が携帯するＧＰＳ付携帯電話と、ＧＰＳ付携帯電話に対して所定スケジュールで位置情報を要求し、ＧＰＳ付携帯電話からの位置情報を受け取る位置検索センターと、位置検索センターからの位置情報を受け取り、その位置情報が予め監視者が定めたエリア外又は所定のエリア内であったとき、あるいは所定時間内の位置情報の変化が異常であったときに、監視者の携帯電話に電子メールで通報するサービスセンターとで構成されるエリア監視システムが提案されている。
【０００４】
また、特許文献２には、学童に関するものではないが、ＧＰＳとＰＨＳとを備えた老人用端末に探索者から発呼し、それを受けた老人用端末は、ＧＰＳにより位置情報を検出し、ＰＨＳ側に送り、ＰＨＳが探索者に老人の位置を送信する位置検出システムも提案されている。
【０００５】
【特許文献１】特開２００４−３２８０１８号公報
【特許文献２】特開平０９−２４７７３０号公報
【発明の開示】
【発明が解決しようとする課題】
【０００６】
しかし、上記特許文献１に記載のエリア監視システムは、学童等の被監視者が所定の範囲から逸脱した場合等にサービスセンターに通報するが、所定の範囲から逸脱した時点で通報しても、学童等が誘拐されてしまった場合には、既に手遅れになるおそれがある。
【０００７】
また、上記特許文献２に記載の位置検出システムでは、ＰＨＳを用いて位置を検出しているが、老人用端末が圏外に存在する場合には、老人の居場所を検出することができないという問題があった。
【０００８】
そこで、本発明は、上記従来のエリア監視システム、位置検出システム等における問題点に鑑みてなされたものであって、通学路等において学童等を監視し、所定の経路から逸脱した場合に、速やかにその情報を把握し、緊急システムを作動させることなどを可能にした監視システム等を提供することを目的とする。
【課題を解決するための手段】
【０００９】
上記目的を達成するため、本発明は、監視システムであって、所定の経路に沿って配置され、所定の通信可能域を有する複数の監視装置と、無線通信機能及び記憶手段を備え、前記複数の監視装置と通信し、該複数の監視装置からの信号の受信順序が、予め前記記憶手段に記録された順序ではない場合に、警報を発するか、通信端末装置に通報する携帯端末装置とを備えることを特徴とする。
【００１０】
そして、本発明によれば、携帯端末装置を所持する者が所定の経路に沿って移動しなかった場合には、該携帯端末装置から警報を発するか、通信端末装置に通報することにより、例えば、前記通信端末装置を配置した監視センターにおいて、通学路等において学童等を監視し、所定の経路から逸脱した場合に、速やかにその情報を把握し、緊急システムを作動させることなどが可能となる。
【００１１】
前記監視システムにおいて、前記所定の経路の始点に、所定の通信可能域を有する第２の監視装置を設置し、該第２の監視装置の所定の通信可能域において、前記携帯端末装置との交信が途絶えた場合に、該交信が途絶えたことを示す信号を前記携帯端末装置又は前記通信端末装置に送信することができる。これによって、例えば、始点を学校内に設置した監視装置とし、携帯端末装置を所持した学童が学校から出たことを検知し、その旨学童に知らせたり、その旨通信端末装置を配置した監視センター等に通知することにより、注意を促したり、監視を強化することなどが可能となる。
【００１２】
前記監視システムにおいて、前記所定の経路の終点に、所定の通信可能域を有する第３の監視装置を設置し、該第３の監視装置の所定の通信可能域において、前記携帯端末装置と通信し、該通信がなされたことを示す信号を前記携帯端末装置又は前記通信端末装置に送信することができる。これによって、例えば、終点を学校内に設置した監視装置とし、携帯端末装置を所持した学童が学校に到着したことを検知し、その旨学童に知らせたり、その旨通信端末装置を配置した監視センター、各家庭等に通知することにより、監視状態を解いたり、学童の無事を伝えることなどが可能となる。
【００１３】
前記監視システムにおいて、前記携帯端末装置は、ＧＰＳ信号による自動位置検出手段を備え、所定の時間毎に前記通信端末装置に位置情報を送信することができる。これによって、学童等が事故等によって所定の経路から逸脱した場合に、速やかにその学童等を追跡することができる。
【００１４】
また、本発明は、監視装置であって、所定の経路に沿って複数配置され、各々所定の通信可能域を有し、各々携帯端末装置と通信することを特徴とする。この監視装置を用いることにより、学童等が所定の経路を通過したことを学童等が所持する携帯端末装置に記録することができる。
【００１５】
さらに、本発明は、無線通信機能及び記憶手段を備えた携帯端末装置であって、所定の経路に沿って配置されて所定の通信可能域を有する複数の監視装置と無線通信可能で、該複数の監視装置からの信号の受信順序が予め前記記憶手段に記録された順序ではない場合に、警報を発するか、通信端末装置に通報することを特徴とする。この携帯端末装置によれば、上述のように、携帯端末装置を所持する者が所定の経路に沿って移動しなかった場合には、該携帯端末装置から警報を発するか、通信端末装置に通報されるため、例えば、通学路等において学童等を監視し、所定の経路から逸脱した場合に、速やかにその情報を把握し、緊急システムを作動させることなどが可能となる。
【発明の効果】
【００１６】
以上のように、本発明によれば、簡単な構成により、通学路等において学童等を監視し、学童等が所定の経路から逸脱した場合に、速やかにその情報を把握し、緊急システムを作動させることなどが可能な監視システム等を提供することができる。
【発明を実施するための最良の形態】
【００１７】
次に、本発明の実施の形態について図面を参照しながら説明する。尚、以下の説明においては、本発明にかかる監視システムを、通学途中の学童を監視する目的で使用する場合を例にとって説明する。
【００１８】
図１は、本発明にかかる監視システムＭＳの一実施の形態を示し、この監視システムＭＳは、無線通信機能等を備える携帯端末装置（以下、「携帯端末」という）Ｐと、通学路に沿って、交差点や一本道の要所等に配置され、所定の通信可能域を有する通学路監視装置Ｍ（Ｍ１〜Ｍ１５）と、学童を監視する監視センターＣと、学校Ｓ内に設置される学内監視装置Ｓ０とで構成される。
【００１９】
携帯端末Ｐは、図２に示すように、学童の現在地を測位するＧＰＳ受信部１と、事故等が発生した場合に、学童が手動で監視センターＣ等に通報する緊急スイッチ２と、周辺に緊急事態であることを知らせる警報ブザー３と、緊急時に通報する公衆無線回線等を利用した通信部４と、所定の時間間隔（５秒間隔等）毎に所定の時間（１秒間等）通学路監視装置Ｍのモニタリング送信機からの無線を受信し、学童の通学路上であるかどうか判定するモニタリング受信部５と、携帯端末Ｐ全体を制御するとともに、学童が通過する通学路監視装置Ｍの順序等を記録したメモリを備えたマイコン制御部６とで構成される。
【００２０】
図３は、通学路監視装置Ｍ（Ｍ１〜Ｍ１５）の構成を示し、この通学路監視装置Ｍは、通信可能域が約２００ｍで、携帯端末Ｐから異常の発生を受信したり、緊急の場合には、監視センターＣに通報する通信用送受信部１１を備える。尚、監視センターＣへの通報は、携帯型の公衆無線回線又は専用無線機器で行う。モニタリング送信部１２は、所定の時間間隔（１０秒間隔等）毎に所定の時間（３秒間等）、又は連続して線電波を送信し、携帯端末Ｐに通学路のモニタリング位置に関する情報を送信する。マイコン制御部１３は、装置全体を制御するとともに、監視センターＣに関する情報等を記録したメモリを備える。この通学路監視装置Ｍの電源には、太陽電池及び充電電池を併用することができる。
【００２１】
図４は、学内監視装置Ｓ０の構成を示し、この学内監視装置Ｓ０は、通信可能域が約１００ｍで、所定の時間間隔（１０秒間隔等）毎に所定の時間（３秒間等）、又は連続して線電波を送信し、携帯端末Ｐに構内であることを認識させるための信号を送信するモニタリング送信部２１と、装置全体を制御するとともに、監視センターＣに関する情報等を記録したメモリを備えたマイコン制御部２２とを備える。
【００２２】
監視センターＣは、民間の警備会社等であってもよく、学校Ｓ内に設けられた監視設備であってもよい。監視センターＣは、携帯端末Ｐ、通学路監視装置Ｍ、学内監視装置Ｓ０等と通信可能な通信端末装置を備え、携帯端末Ｐの現在位置に関するデータを取得することができ、携帯端末Ｐ等の情報を記録したデータベースを備える。
【００２３】
次に、本発明にかかる監視システムＭＳの動作について図１を参照しながら説明する。
【００２４】
まず、各々の学童の通学路を通る順序を、携帯端末Ｐに記録する。例えばＰ君の場合には、学校Ｓから、「Ｓ０、Ｍ１、Ｍ２、Ｍ３、Ｍ４」という順序で家Ｈに帰宅するので、この通過順序を図２の携帯端末Ｐのマイコン制御部６の通学路データメモリに記録する。
【００２５】
Ｐ君が学校Ｓ内に存在する間は、学内監視装置Ｓ０のモニタリング送信部２１からの信号を携帯端末Ｐが受信し、Ｐ君に構内に居ることを確認させる。
【００２６】
Ｐ君が帰途につき、携帯端末Ｐが学内監視装置Ｓ０の通信可能範囲から逸脱すると、すなわち、学内監視装置Ｓ０のモニタリング送信部２１からの線電波を携帯端末Ｐのモニタリング受信部５で受信することができなくなると、携帯端末Ｐはマイコン制御部６の通学路データメモリに記録する。また、学内監視装置Ｓ０は、監視センターＣに、携帯端末Ｐが通信可能範囲から逸脱したこと知らせ、監視センターＣはその時刻等を記録する。
【００２７】
Ｐ君が通学路に沿って移動し、通学路監視装置Ｍ１付近に到達すると、携帯端末Ｐは、モニタリング受信部５を介して通学路監視装置Ｍ１のモニタリング送信部１２と通信し、通信記録を携帯端末Ｐのメモリに記録する。
【００２８】
このようにして、Ｐ君が、通学路監視装置を「Ｍ２、Ｍ３、Ｍ４」の順序で通学路に沿って移動すると、携帯端末Ｐが通学路監視装置「Ｍ２、Ｍ３、Ｍ４」の順序で通信し、携帯端末Ｐは、通過順序が予め記録されたものと一致するため、監視センターＣに無地帰宅した旨の信号を送信し、監視システムＭＳは、この信号を受信してＰ君の監視を終了する。
【００２９】
次に、携帯端末Ｐに記録された通過順序に携帯端末Ｐが通学路監視装置Ｍを通過しなかった場合、すなわち、事故等が発生した場合について説明する。尚、以下の説明においても、Ｐ君は、学校Ｓから、「Ｓ０、Ｍ１、Ｍ２、Ｍ３、Ｍ４」という順序で家Ｈに帰宅するものとし、この通過順序が携帯端末Ｐのマイコン制御部６の通学路データメモリに記録されているものとする。
【００３０】
上述のように、Ｐ君が学校Ｓ内に存在する間は、学内監視装置Ｓ０のモニタリング送信部２１からの信号を携帯端末Ｐが受信し、Ｐ君に学内に居ることを確認させ、Ｐ君が帰途につき、携帯端末Ｐが学内監視装置Ｓ０の通信可能範囲から逸脱すると、携帯端末Ｐは、その旨マイコン制御部６のメモリに記録する。また、学内監視装置Ｓ０は、監視センターＣに、Ｐ君が帰途についたこと知らせ、監視センターＣはその時刻等を記録する。
【００３１】
携帯端末Ｐが、予め記録された通学路監視装置の「Ｓ０、Ｍ１、Ｍ２、Ｍ３、Ｍ４」の順序ではなく、「Ｍ１、Ｍ２、Ｍ１５」という順序で通信した場合には、携帯端末Ｐは、Ｍ１５と交信した時点で、予め記録された通過順序と相違することを確認し、監視センターＣに直ちに通報する。通報を受信した監視センターＣは、関係各所に連絡をするなどしてＰ君の安全を図るための行動を取る。
【００３２】
また、監視センターＣは、通常携帯端末Ｐの一定時間毎の位置情報を受信しているため、この位置情報をもとに学童等を捜索することが可能となる。
【００３３】
また、携帯端末Ｐを携帯しているＰ君は、携帯端末Ｐに備えられる緊急スイッチ２を押すなどして直接監視センターＣに通報したり、警報ブザー３を用いて周囲に緊急事態を知らせたり、通信部４から家族、警察等に連絡することもできる。
【００３４】
尚、上記実施の形態においては、Ｐ君が学校Ｓ内から家Ｈに帰宅する場合を例にとって説明したが、Ｐ君が家Ｈから学校Ｓに向かう場合にも、上記と同様に通学路を通る順序を携帯端末Ｐに記録し、通学路監視装置Ｍを用いて携帯端末Ｐを監視することができる。
【００３５】
また、この際には、学内監視装置Ｓ０と携帯端末Ｐとの交信が取れた時点で、Ｐ君が学校Ｓに無事到着したことを判断することができ、学内監視装置Ｓ０等から監視システムＭＳに信号を送信し、監視システムＭＳは、この信号を受信してＰ君の監視を終了することができる。
【００３６】
さらに、上記実施の形態においては、監視システムＭＳを、通学途中の学童を監視する目的で使用する場合を例にとって説明したが、学童以外にも老人等の行動の監視等に使用することができる。
【図面の簡単な説明】
【００３７】
【図１】本発明にかかる監視システムの一実施の形態の構成を示す概略図である。
【図２】図１の監視システムの携帯端末を示す機能構成図である。
【図３】図１の監視システムの通学路監視装置を示す機能構成図である。
【図４】図１の監視システムの学内監視装置を示す機能構成図である。
【符号の説明】
【００３８】
Ｃ  監視センター
Ｈ  （学童の）家
Ｍ（Ｍ１〜Ｍ１５）  通学路監視装置
ＭＳ  監視システム
Ｐ  携帯端末装置
Ｓ  学校
Ｓ０  学内監視装置
１  ＧＰＳ受信部
２  緊急スイッチ
３  警報ブザー
４  通信部
５  モニタリング受信部
６  マイコン制御部
１１  通信用送受信部
１２  モニタリング送信部
１３  マイコン制御部
２１  モニタリング送信部
２２  マイコン制御部
【図１】
2007241826.tif 000003
【図２】
2007241826.tif 000004
【図３】
2007241826.tif 000005
【図４】
2007241826.tif 000006